(57)【要約】【課題】測定装置の設置スペースをできるだけ小さく抑えつつ、ＵＳＢメモリ等の外部記憶媒体を安全且つ容易に抜き差しすることができる測定装置を提供する。【解決手段】操作パネル１３を筐体１１の上面から上に突出するように設け、その側面２８を筐体１１の側端２９よりも内側とする。そして、操作パネル１３のその側面２８にＵＳＢポート１４を設ける。これにより、ＵＳＢメモリ１５をＵＳＢポート１４に抜き差しする際、ＵＳＢメモリ１５が分光光度計１０の端部２９よりも大きくはみ出すことがなくなり、ＵＳＢメモリ１５の抜き差しのために余分な設置スペースを確保する必要がなくなる。【選択図】図２
2010243509.tif 000002
【特許請求の範囲】
【請求項１】
筐体の上面に突出して設けられ、少なくとも一方の側面が筐体の側端よりも内側にある操作パネルと、
該側面に設けられた外部記憶媒体の接続ポートと、
を備えることを特徴とする測定装置。
【請求項２】
前記外部記憶媒体がＵＳＢメモリであることを特徴とする請求項１に記載の測定装置。
【請求項３】
前記操作パネルの、前記接続ポートの直上の位置に、該接続ポートの位置を示すマークを付したことを特徴とする請求項１又は２に記載の測定装置。
【発明の詳細な説明】
【技術分野】
【０００１】
本発明は、ＵＳＢメモリ等の外部記憶媒体にデータファイルを保存することができる測定装置に関する。
【背景技術】
【０００２】
従来より分光光度計等の測定装置において、測定装置内のメモリに保存した測定データやパラメータデータ等のデータファイルをパソコンに移行し、パソコン上でデータ処理することが行われている。データファイルの移行方法としては、測定装置とパソコンをケーブルで直接接続する方法や、ＬＡＮ等を介してネットワーク接続する方法がある。前者の方法はパソコンを測定装置の近くに設置する必要があるため、別室や遠隔地のパソコンでデータ処理することができない。後者の方法はＬＡＮケーブルの敷設やネットワークの設定等が必要であるため、装置設置時に手間とコストがかかる。そのため、データファイルの移行をより手軽に行うためには、ＵＳＢメモリ等の外部記憶媒体を使用する方法が適する。
【０００３】
ＵＳＢメモリにデータファイルを保存することが可能な測定装置の一つに株式会社日立ハイテクノロジーズの分光光度計U-2900がある（非特許文献１）。この分光光度計３０は図１に示すように、筐体側面にＵＳＢポート３４を備え、ここにＵＳＢメモリ１５を抜き差しできるようにしている。
【先行技術文献】
【非特許文献】
【０００４】
【非特許文献１】「日立ダブルビーム分光光度計 U-2900」、[online]、株式会社日立ハイテクノロジーズ、[平成１９年８月３日検索]、インターネット<URL : http://www.hitachi-hitec.com/news_events/product/2007/nr20070201.html>
【発明の概要】
【発明が解決しようとする課題】
【０００５】
一般的なＵＳＢメモリは、メモリチップを収納する長さ数cmの本体部に、長さ12mmのコネクタ部が接続された形態を有する。コネクタ部は、測定装置等に差し込んだときにその筐体内に収納されるが、ＵＳＢメモリの本体部は測定装置等の筐体から突出せざるを得ない。ＵＳＢメモリを抜き差しする場合のことも考慮すると、上述の測定装置ではその横に最低数cmのスペースを確保しなければならない。また、使用者が手探りでなく、ＵＳＢポートの位置を目で確認してＵＳＢメモリを迅速に挿入することを考慮すると、それ以上のスペースを確保しなければならない。
【０００６】
一方、側面ではなく、測定装置の前面にＵＳＢポートを設けた場合、差し込まれたＵＳＢメモリの本体部が測定装置の筐体よりも前方に突出するが、測定装置の前方は使用者（測定者）が移動したりサンプルセル等を扱う空間であるため、使用者が誤ってＵＳＢメモリに接触したり器具を当てる等のトラブルが発生しやすい。
【０００７】
本発明が解決しようとする課題は、測定装置の設置スペースをできるだけ小さく抑えつつ、ＵＳＢメモリ等の外部記憶媒体を安全且つ容易に抜き差しすることができる測定装置を提供することである。
【課題を解決するための手段】
【０００８】
上記課題を解決するために成された本発明に係る測定装置は、筐体の上面に突出して設けられ、少なくとも一方の側面が筐体の側端よりも内側にある操作パネルと、該側面に設けられた外部記憶媒体の接続ポートと、を備えることを特徴とする。
【発明の効果】
【０００９】
本発明に係る測定装置では、操作パネルを測定装置の筐体の上面から突出させると共に、その少なくとも一方の側面を筐体の側端よりも内側にし、その側面に外部記憶媒体の接続ポートを設ける。そのため、少なくとも測定装置の筐体側面と操作パネルの該側面の間の距離の分だけ、外部記憶媒体のスペース（外部記憶媒体を接続ポートに抜き差しするためのスペースを含む）をかせぐことができる。これにより、隣接する測定装置同士をより近距離に置くことができ、或いは、測定装置を壁により近づけて置くことができるようになるため、測定装置設置室の利用効率が向上する。また、外部記憶媒体が測定装置の筐体の前方に突出することがないため、測定装置の使用者が誤って外部記憶媒体に接触したり、器具をそれに当てる等のトラブルも防止される。
【００１０】
更に、外部記憶媒体の接続ポートが筐体の上面に設けた操作パネルの側面にあるため、接続ポートの位置を容易に確認することができる。もちろん、接続ポートの位置を更に分かりやすくし、素早い操作を可能にするため、操作パネルの、接続ポートの直上の位置に、接続ポートの位置を示すマークを付してもよい。
【００１１】
本発明に係る測定装置では、接続ポートが操作パネルに近い位置にあるため、外部記録媒体を接続ポートに差し込んだ後、すぐに操作パネルを操作することが可能となり、測定のための一連の動作を使用者が円滑に素早く行うことができるようになる。
【００１２】
なお、前記外部記憶媒体としてはＵＳＢメモリを用いるのが一般的であり、便利であるが、ＳＤメモリカード（登録商標）等の既存の外部記憶媒体の他、今後規定されるであろう小型の外部記憶媒体をいずれも用いることができる。
【図面の簡単な説明】
【００１３】
【図１】従来の分光光度計の斜視図。
【図２】本発明の第一実施例である分光光度計の斜視図。
【図３】本発明の第二実施例である分光光度計の平面図(a)、正面図(b)及び側面図(c)。
【発明を実施するための形態】
【００１４】
以下、添付図面を用いて本発明の実施例である分光光度計を説明する。
【実施例】
【００１５】
図２は本発明の第一実施例に係る分光光度計１０の斜視図である。本分光光度計１０は、内部に光源や試料ホルダ等を備える筐体１１と、その上部に設けられた操作パネル１３から成る。筐体１１の、操作パネル１３に隣接する部分（図２では右側）には、試料装入用の蓋１２が設けられている。筐体１１の左側面２９には、内部に設けられた冷却ファンの排気口１７と、電源ケーブル１８の接続口が設けられている。左側面２９にはその他の各種接続端子１９が設けられている。
【００１６】
第一実施例の分光光度計１０では、表示パネルや操作キーを備えた操作パネル１３は、筐体１１の左側上面に、上面から突出するように設ける。操作パネル１３の表面は、表示パネルの視認性及び操作キーの操作性を考慮して、前方に約18度傾ける。操作パネル１３の左側面２８から筐体１１の左側面２９までの距離は、一般的なＵＳＢメモリ１５の長さと同程度かそれ以上にすることが望ましい。
操作パネル１３の左側面２８にＵＳＢポート１４を設ける。このとき、ＵＳＢポート１４の長手方向が操作パネル１３の表面に平行になるようにする。これにより、ＵＳＢポート１４に差し込んだときにＵＳＢメモリ１５の上面が手前側を向くようになるため、ＵＳＢメモリ１５の表裏面を判別しやすくなり、迅速な抜き差しが可能となる。操作パネル１３の上面にはＵＳＢポート１４の位置を示すＵＳＢマーク１６を付しておく。
【００１７】
本発明の第二実施例として、装置右側よりＵＳＢメモリ１５を抜き差し可能な分光光度計２０を図３に示す。本分光光度計２０も上記分光光度計１０と同様、操作パネル２３を筐体２１の上面から上に突出するように設ける。操作パネル２３の右側面は筐体２１の右側面よりも内側とし、この操作パネル２３の右側面にＵＳＢポート２４を設ける。操作パネル２３の上面にはＵＳＢポート２４の位置を示すＵＳＢマーク２６を第一実施例と同様に付しておく。第二実施例の分光光度計２０では、試料装入用の蓋２２は操作パネル２３の左に設ける。
【００１８】
第一実施例の分光光度計１０では、ＵＳＢポート１４が筐体１１の左側面２９よりも内側にあるため、ＵＳＢメモリ１５をＵＳＢポート１４に差し込んだとき、ＵＳＢメモリ１５の筐体１１側面からの突出量が小さくなる。更に上記の通り、操作パネル１３の左側面２８から筐体１１の左側面２９までの距離をＵＳＢメモリ１５の長さよりも大きくすることにより、突出量をゼロとすることができる。これらにより、本分光光度計１０をより部屋の壁面に近づけて設置することができるようになり、或いは、他の測定装置をより近接して置くことができるようになる。第二実施例の分光光度計２０も同様の効果を有する。
【００１９】
なお、通常、筐体１１の側面（図２の場合、左側面２９）には冷却ファンの排気口１７が設けられ、それを隣接測定装置や部屋の壁面で塞がないように、同じ面に電源ケーブルの接続口１８やその他の各種コネクタ用の口を設けることが行われる。そのため、その側面の側には多少のスペースがあるが、ＵＳＢメモリ１５の抜き差しの際の動きのためのスペースや、ＵＳＢポート１４の位置や向きを視認するためのスペースを考慮すると、本願発明のように、その側面とＵＳＢポート１４の間に更にスペースを設けることが望ましい。
【符号の説明】
【００２０】
１０、２０、３０…分光光度計
１１、２１…筐体
１２、２２…蓋
１３、２３…操作パネル
１４、２４…ＵＳＢポート
１５…ＵＳＢメモリ
１６、２６…ＵＳＢマーク
１７…通気口
１８…電源ケーブル
１９…各種接続端子
２８…操作パネル１３の左側面
２９…筐体１１の左側面
【図１】
2010243509.tif 000003
【図２】
2010243509.tif 000004
【図３】
2010243509.tif 000005